(57)【要約】【課題】熱アシスト記録方式によって適切に磁気情報を記録することができる磁気ディスク装置を提供する。【解決手段】磁気ディスク装置Ａは、磁気ディスク１、磁気ヘッド２、および集光レンズ４を備える。磁気ディスク１は、複数の磁性部１０が離散状に形成された記録層１００を一方の表面１Ａに有する。磁気ヘッド２は、記録層１００が形成された磁気ディスク１の一方の表面１Ａに対向するように配置される。集光レンズ４は、磁気ヘッド２とは反対側となる磁気ディスク１の他方の表面１Ｂに対向するように配置され、磁気ディスク１の厚み方向に光を透過させて磁性部１０に光を集光させる。【選択図】  図１
2010225250.tif 000002
【特許請求の範囲】
【請求項１】
複数の磁性部が離散状に形成された記録層を少なくともいずれか一方の表面に有する磁気ディスクと、
上記記録層が形成された上記磁気ディスクの一方の表面に対向するように配置される磁気ヘッドと、
上記磁気ヘッドとは反対側となる上記磁気ディスクの他方の表面に対向するように配置され、上記磁気ディスクの厚み方向に光を透過させて上記磁性部に光を集光させる集光レンズと、
を備えている、磁気ディスク装置。
【請求項２】
上記磁気ディスクの両側の表面には、上記記録層が形成されており、
上記磁気ヘッドおよび集光レンズの組としては、上記磁気ディスクに対する配置パターンが互いに逆の配置パターンをなすように２組が設けられている、請求項１に記載の磁気ディスク装置。
【請求項３】
上記磁気ヘッドおよび集光レンズは、上記磁気ディスクを挟むように配置された１組または２組のスライダに搭載されている、請求項１または２に記載の磁気ディスク装置。
【請求項４】
上記集光レンズへと光を導くとともに、この集光レンズに対する光の入射方向あるいは入射位置を変化させる光軸調整手段を備えている、請求項１ないし３のいずれかに記載の磁気ディスク装置。
【発明の詳細な説明】
【技術分野】
【０００１】
本発明は、いわゆる熱アシスト記録方式によって磁気情報の記録を行う磁気ディスク装置に関する。
【背景技術】
【０００２】
熱アシスト記録方式とは、磁気ディスクの磁性領域（記録面における最小記録単位領域）を加熱して保磁力を弱めた上で、その磁性領域に磁界を印加して磁化の方向を変化させることにより、磁気情報を記録する方式である。このような熱アシスト記録方式は、保磁力が比較的大きい磁性領域を有する磁気ディスクに適している。熱アシスト記録方式を用いた磁気ディスク装置としては、たとえば特許文献１に開示されたものがある。同文献の技術では、磁気ヘッドと光出射部との間に磁気ディスクを配置し、磁気ヘッドは、これに対向するディスク表面の所望とする磁性領域に磁界を印加する。光出射部は、導波路を介して導かれてきたレーザ光を磁気ヘッドとは反対側から上記磁性領域に向けて照射することにより、この磁性領域を加熱する。これにより、磁性領域は、レーザ光の加熱によって保磁力が弱められた状態で磁気情報が記録される。
【先行技術文献】
【特許文献】
【０００３】
【特許文献１】特開２００８−２６９６８９号公報
【発明の概要】
【発明が解決しようとする課題】
【０００４】
しかしながら、上記従来の熱アシスト記録方式を利用した技術では、導波路を介して導かれてきたレーザ光が拡散しながら照射されるので、所望とする磁性領域を局所的に加熱することが困難である。所望とする磁性領域を効率よく加熱するには、レーザ光の光強度を高めればよいが、そうすると周辺部分にも多くの熱が伝わることで不要な熱揺らぎが生じ、すでに記録済みの磁性領域の保磁力まで不安定になるおそれがあった。
【０００５】
本発明は、上記した事情のもとで考え出されたものであって、熱アシスト記録方式によって適切に磁気情報を記録することができる磁気ディスク装置を提供することをその課題としている。
【課題を解決するための手段】
【０００６】
上記課題を解決するため、本発明では、次の技術的手段を講じている。
【０００７】
本発明によれば、磁気ディスク、磁気ヘッド、および集光レンズを備えた磁気ディスク装置が提供される。磁気ディスクは、複数の磁性部が離散状に形成された記録層を少なくともいずれか一方の表面に有する。磁気ヘッドは、記録層が形成された磁気ディスクの一方の表面に対向するように配置される。集光レンズは、磁気ヘッドとは反対側となる磁気ディスクの他方の表面に対向するように配置され、磁気ディスクの厚み方向に光を透過させて磁性部に光を集光させる。
【発明の効果】
【０００８】
本発明により開示された技術では、集光レンズから出射した光が磁気ディスクを透過しながら所望とする磁性部に集光させられるため、磁性部が局所的に加熱されやすい。こうして加熱された状態の磁性部は、磁気ヘッドからの磁界によって磁化方向が容易に変化させられる。したがって、本発明に関する技術によれば、所望とする磁性部にできる限り熱を集中させて磁界を作用させることができ、熱アシスト記録方式によって適切に磁気情報を記録することができる。
【０００９】
本発明のその他の特徴および利点は、添付図面を参照して以下に行う詳細な説明によって、より明らかとなろう。
【図面の簡単な説明】
【００１０】
【図１】本発明が適用された磁気ディスク装置の一実施形態を示す断面図である。
【図２】図１の磁気ディスク装置における光軸調整を説明するための断面図である。
【図３】磁気ディスクにおける磁性部のパターンを説明するための説明図である。
【図４】本発明が適用された磁気ディスク装置の他の実施形態を示す断面図である。
【図５】本発明が適用された磁気ディスク装置の他の実施形態を示す断面図である。
【発明を実施するための形態】
【００１１】
以下、本発明の好ましい実施の形態を、図面を参照して具体的に説明する。
【００１２】
図１〜３は、本発明が適用された磁気ディスク装置の一実施形態を示している。本実施形態の磁気ディスク装置Ａは、いわゆる熱アシスト記録方式によって磁気情報を記録するものである。磁気ディスク装置Ａは、磁気ディスク１、磁気ヘッド２、１組のスライダ３Ａ，３Ｂ、集光レンズ４、光軸調整用の可動ミラー５、および光源（図示略）を備えている。その他の既知の構成要素としては、スピンドルモータ、スイングアーム、ボイスコイルモータ、制御回路が磁気ディスク装置Ａに備えられている。スピンドルモータは、磁気ディスク１を回転させるものである。スイングアームは、その先端部にスライダ３Ａ，３Ｂを支持したものであり、スライダ３Ａ，３Ｂを磁気ディスク１の略径方向に往復移動させるように動作する。ボイスコイルモータは、スイングアームを動作させるための駆動手段である。制御回路は、スピンドルモータおよびボイスコイルモータならびに光源を制御する。
【００１３】
磁気ディスク１は、たとえば図３（Ａ）および（Ｂ）に示すようなパターンドメディア、あるいは図３（Ｃ）に示すようなディスクリートトラックメディアであり、垂直磁気記録方式に適したものである。図１および図２に示すように、磁気ディスク１には、最小記録単位領域となる磁性部１０を離散状に有する記録層１００が設けられている。記録層１００は、磁気ディスク１の片側の表面１Ａに形成されている。他方の表面１Ｂには、記録層が形成されていない。特に図示しないが、記録層１００は、保護膜および潤滑剤によって保護されている。その他、磁気ディスク１の内部には、光を透過可能とする程度の厚みをもって例えば軟磁性層（図示略）が形成されており、その余の部分は、光透過性を有する非磁性層１１０になっている。
【００１４】
磁気ヘッド２は、磁性部１０に対して磁気情報の記録再生を行うものである。特に図示しないが、磁気ヘッド２には、記録素子および再生素子が設けられている。この磁気ヘッド２は、記録層１００が形成された一方の表面１Ａに対向するスライダ３Ｂに搭載されている。磁気ヘッド２は、記録素子による垂直磁界を磁性部１０に印加することにより、磁性部１０の磁化方向を変化させ、その磁化方向の向きによって磁気情報を記録する。磁気ヘッド２の再生素子は、磁性部１０の磁化方向を読み取ることにより、磁性部１０に記録された磁気情報を再生する。
【００１５】
スライダ３Ａ，３Ｂは、高速回転する磁気ディスク１の表面１Ａ，１Ｂとの間に極めて薄い空気潤滑層を形成することにより、その表面１Ａ，１Ｂ上に浮上させられる。このようなスライダ３Ａ，３Ｂの浮上量は、たとえば数ｎｍ程度である。一方のスライダ３Ａには、磁気ディスク１の方へと光を通過可能とするように開口３０が設けられている。この開口３０には、集光レンズ４が設けられている。他方のスライダ３Ｂの側面には、磁気ヘッド２が設けられている。このような１組のスライダ３Ａ，３Ｂは、これらの間に磁気ディスク１を挟んだような状態で磁気ディスク１上の同位置に配置される。
【００１６】
集光レンズ４は、たとえば凸レンズであり、図示しない光源から可動ミラー５を介して導かれてきたレーザ光Ｌを磁気ディスク１の記録層１００に集光させる。集光レンズ４から出射したレーザ光Ｌは、収束しながら磁気ディスク１の表面１Ｂに入り、さらに非磁性層１１０を透過して記録層１００に集光スポットを形成する。集光レンズ４の開口数をＮＡ、レーザ光Ｌの波長をλとした場合、空気中ではＮＡ＜１となり、記録層１００に形成される集光スポットのサイズは、解像限界から０．２５λ／ＮＡとなる。たとえばλ＝４００ｎｍとした場合、集光スポットのサイズは１００ｎｍ程度である。このようなレーザ光Ｌの集光スポットは、磁気ディスク１の表面１Ｂに対する集光レンズ４の浮上高を１００ｎｍ以下に設定することにより、いわゆるエバネッセント効果によってより小さくなる。これにより、磁気ディスク１が回転しているとき、記録層１００の各磁性部１０には、概ね同等サイズの集光スポットが順次当たり、この集光スポットによって熱が集中することで磁性部１０が１つずつ加熱される。磁性部１０は、加熱によって保磁力が弱められ、その際に磁気ヘッド２からの垂直磁界が作用する。その結果、磁性部１０においては、磁化方向が容易に変化させられ、各磁性部１０に磁気情報が正常に記録される。
【００１７】
可動ミラー５は、たとえばガルバノミラーであり、集光レンズ４に入射するレーザ光Ｌの入射方向および入射位置を変化させる。これにより、集光レンズ４を通るレーザＬの光軸が変化し、記録層１００に形成される集光スポットの位置が調整される。このようなレーザＬの光軸調整は、集光レンズ４による集光スポットと磁気ヘッド２による磁界印加位置とを整合させるために行われる。たとえば、磁気ディスク１の初期化を行う際、磁性層１００の磁性部１０は、レーザ光Ｌによって加熱されつつ磁気ヘッド２から比較的強い磁界が印加される。これにより、各磁性部１０の磁化方向は、同一方向に揃えられる。その後、磁気ヘッド２は、磁界印加を停止し、レーザ光Ｌが比較的弱い強度で照射された状態で再生素子を介して各磁性部１０を読み取る。このとき、レーザ光Ｌの集光スポットは、可動ミラー５の動作によって位置が変化させられる。その際、再生素子によって磁化レベルが最も弱くなる磁性部１０が検出されると、その磁性部１０の位置が集光スポットと再生素子が整合した位置となる。最終的には、ディスク回転方向に沿う再生素子と記録素子のずれ量に基づき、集光スポットの位置が可動ミラー５によって微調整され、記録素子と整合する位置に集光スポットが形成されることになる。これにより、磁気情報の記録時には、所望とする磁性部１０に集光スポットを当てて加熱し、それと同時にその磁性部１０に垂直磁界を作用させることができる。
【００１８】
このような磁気ディスク装置Ａによれば、集光レンズ４から出射したレーザ光Ｌが磁気ディスク１の非磁性層１１０を透過しながら所望とする磁性部１０に集光スポットが形成され、その磁性部１０が概ね同等サイズの集光スポットによって局所的に加熱される。
【００１９】
こうして加熱された状態の磁性部１０は、熱揺らぎによって保磁力が弱められることにより、磁気ヘッド２からの垂直磁界によって磁化方向が容易に変化させられる。このように、磁性部１０は、たとえば１０7erg/cc以上といった磁気異方性エネルギーをもち、比較的保磁力が大きいものであっても、熱アシスト記録方式によって容易に磁気情報が記録される。
【００２０】
磁気情報の記録時には、磁性部１０を概ね１つずつ加熱しながら同時に垂直磁界を作用させることができるので、記録済みの磁性部１０に対して不必要に熱が付与されることなく、所望とする磁性部１０に対してのみ正しく磁気情報を記録することができる。
【００２１】
集光スポットと記録素子の位置は、製造時の組み付け誤差などにより磁性部１０に対して位置ずれしていることもある。このような位置ずれについては、可動ミラー５を用いたレーザ光Ｌの光軸調整によって修正することができるので、各磁性部１０の同一位置に集光スポットと記録素子を合わせることができ、各磁性部１０に対して同時に加熱と記録を行うことができる。
【００２２】
したがって、本実施形態の磁気ディスク装置Ａによれば、磁性層１００の反対側から所望とする磁性部１０にレーザ光Ｌによる熱を集中させて同時に垂直磁界を作用させることができ、熱アシスト記録方式による磁気情報の記録を適切に行うことができる。
【００２３】
図４および図５は、本発明が適用された磁気ディスク装置の他の実施形態を示している。なお、先述の実施形態によるものと同一または類似の構成要素については、同一符号を付してその説明を省略する。
【００２４】
図４に示す磁気ディスク装置Ｂは、磁気ヘッド２および集光レンズ４を搭載した２組のスライダ３Ａ，３Ｂ、３Ａ’，３Ｂ’と、磁気ディスク１の両側に位置する２つの可動ミラー５，５’とを備えている。一方の組のスライダ３Ａ，３Ｂと可動ミラー５は、磁気ディスク１に対する配置パターンが先述の実施形態と同様である。他方の組のスライダ３Ａ’，３Ｂ’と可動ミラー５’は、スライダ３Ａ，３Ｂおよび可動ミラー５とは逆の配置パターンになっている。すなわち、集光レンズ４が搭載されたスライダ３Ａ’は、磁気ディスク１の一方の表面１Ａに対向するように配置されており、磁気ヘッド２が搭載されたスライダ３Ｂ’は、他方の表面１Ｂに対向するように配置されている。
【００２５】
磁気ディスク１においては、その両側の表面１Ａ，１Ｂに記録層１００が形成されている。記録層１００における磁性部１０の配列パターンは、図３（Ａ）〜（Ｃ）に示すようなパターンと同一である。たとえば図３（Ａ）に示すようにマトリクス状の配列パターンにおいて、磁性部１０が等間隔に並ぶ際のピッチｐが各磁性部１０の径ｄに対してｐ＝２ｄ程度となる場合、片面の表面積に対して磁性部１０が占める面積の割合は、略２０％になる。図３（Ｂ）に示すように千鳥配置状の配列パターンにおいて、同様にｐ＝２ｄ程度となる場合、磁性部１０が占める面積の割合は、略４５％になる。図３（Ｃ）に示すように帯状の配列パターンにおいて、磁性部１０がトラックをなすように並ぶ際のトラックピッチｐがトラック幅ｔに対してｐ＝２ｔ程度となる場合、磁性部１０が占める面積の割合は、５０％になる。このような磁性部１０は、光透過性をもたない一方、表面積に占める面積の割合がせいぜい５０％程度であるため、磁気ディスク１に照射されたレーザ光Ｌは、一方の記録層１００を透過して反対側の記録層１００にまで達する。
【００２６】
一方のスライダ３Ｂに搭載された磁気ヘッド２は、図示において下面側となる表面１Ａの磁性部１０に対して磁気情報の記録および再生を行う。他方のスライダ３Ｂ’に搭載された磁気ヘッド２は、図示において上面側となる表面１Ｂの磁性部１０に対して磁気情報の記録および再生を行う。
【００２７】
一方のスライダ３Ａに搭載された集光レンズ４は、図示において上面側となる表面１Ｂにレーザ光Ｌを照射する。このレーザ光Ｌは、表面１Ｂの記録層１００および非磁性層１１０を透過して反対側の表面１Ａにおける磁性部１０に集光させられる。他方のスライダ３Ａ’に搭載された集光レンズ４は、図示において下面側となる表面１Ａにレーザ光Ｌを照射する。このレーザ光Ｌは、表面１Ｂの記録層１００および非磁性層１１０を透過して反対側の表面１Ｂにおける磁性部１０に集光させられる。
【００２８】
このような磁気ディスク装置Ｂによれば、磁気ディスク１の両側の表面１Ａ，１Ｂにおける磁性部１０に対して熱アシスト記録方式によって磁気情報を記録することができるので、磁気ディスク１全体に対する記録密度を高めつつ、先述した実施形態によるものと同様の効果を得ることができる。
【００２９】
図５に示す磁気ディスク装置Ｃでは、１組のスライダ３Ａ，３Ｂが設けられており、各スライダ３Ａ，３Ｂに磁気ヘッド２と集光レンズ４の両方が搭載されている。このようなスライダ３Ａ，３Ｂによっても、磁気ヘッド２のそれぞれは、これに最も近い表面１Ａ，１Ｂの磁性部１０に対して磁気情報の記録および再生を行う。集光レンズ４のそれぞれは、これに最も近い表面１Ａ，１Ｂの記録層１００に向けてレーザ光Ｌを照射しつつ、反対側の記録層１００に集光スポットを形成するように焦点が定められている。これらの集光レンズ４を介して同時にレーザ光Ｌを照射した場合、レーザ光Ｌが透過する記録層１００においては、透過光となるレーザ光Ｌの焦点が合わない状態のため、透過光によって必要以上に磁性部１０が加熱されることはない。
【００３０】
このような磁気ディスク装置Ｃによっても、磁気ディスク１の両側の表面１Ａ，１Ｂにおける磁性部１０に対して熱アシスト記録方式によって磁気情報を記録することができるので、磁気ディスク１全体に対する記録密度を高めつつ、先述した実施形態によるものと同様の効果を得ることができる。
【００３１】
なお、本発明は、上記の実施形態に限定されるものではない。
【００３２】
上記実施形態で示した構成は、あくまでも一例にすぎず、仕様に応じて適宜設計変更することが可能である。
【００３３】
上記の各実施形態では、磁気ディスクの表面に対して概ね垂直にレーザ光を照射しているが、スライダにおける磁気ヘッドの搭載位置などによっては、集光レンズの搭載位置や姿勢を変更し、磁気ディスクの表面に対して若干斜めにレーザ光を照射するようにしてもよい。
【産業上の利用可能性】
【００３４】
本発明は、たとえばパターンドメディアあるいはディスクリートトラックメディアといった磁気ディスクを備えた熱アシスト記録方式の磁気ディスク装置に適用することができる。
【符号の説明】
【００３５】
Ａ，Ｂ，Ｃ                磁気ディスク装置
１                        磁気ディスク
１Ａ，１Ｂ                表面
１０                      磁性部
１００                    記録層
２                        磁気ヘッド
３Ａ，３Ｂ，３Ｂ’，３Ｂ’ スライダ
４                        集光レンズ
５，５’                  可動ミラー（光軸調整手段）
【図１】
2010225250.tif 000003
【図２】
2010225250.tif 000004
【図３】
2010225250.tif 000005
【図４】
2010225250.tif 000006
【図５】
2010225250.tif 000007